(57)【要約】【課題】開口幅の広い間仕切り部分に使用する上吊式引戸装置であっても、汎用品の下車を利用した振れ止めで、剛性が高く、安定した引戸の振れ止めを行うことができる上吊式引戸装置を提供すること。【解決手段】上枠２ａに取り付けた上吊用レール３に、上部に戸車５を配設した引戸４を取り付けるとともに、前記引戸４の下部に配設した下車６が、床面Ｆに敷設したガイドレール９上を走行することによって引戸４の振れ止めを行うようにした上吊式引戸装置１において、引戸扉４の下骨４ａ内に該下骨４ａの長さＬ２と略同一長さのフレーム８を付勢手段７によって下方に付勢して配設し、前記フレーム８に下車６を取り付ける。【選択図】図２
2009062790.tif 000002
【特許請求の範囲】
【請求項１】
上枠に取り付けた上吊用レールに、上部に戸車を配設した引戸を取り付けるとともに、前記引戸の下部に配設した下車が、床面に敷設したガイドレール上を走行することによって引戸の振れ止めを行うようにした上吊式引戸装置において、引戸の下骨内に該下骨の長さと略同一長さのフレームを付勢手段によって下方に付勢して配設し、前記フレームに下車を取り付けたことを特徴とする上吊式引戸装置。
【請求項２】
前記フレームを、上部を開放した断面コ字状とし、下部を開放した断面コ字状の下骨の両内側面に、前記フレームの両外側面が摺接するようにしたことを特徴とする請求項１記載の上吊式引戸装置。
【請求項３】
前記フレームに、複数の下車を配設したことを特徴とする請求項１又は２記載の上吊式引戸装置。
【発明の詳細な説明】
【技術分野】
【０００１】
本発明は、上吊式引戸装置に関し、特に、可動範囲の広い上吊式引戸装置を安定して走行させることのできる上吊式引戸装置に関するものである。
【背景技術】
【０００２】
従来、上吊式引戸装置としては、引戸の下部が振れないようにするため、床面から引戸の下骨間に向けて振れ止め用のガイドローラを突出させ、このガイドローラによって引戸の下部を案内する上吊式引戸装置が提案されている（例えば、特許文献１参照）。
【０００３】
しかし、この場合、開口幅が広い間仕切り部分に使用する上吊式引戸装置、例えば、３枚以上の引戸を引戸枠部材の中に配設する上吊式引戸装置では、引戸の開口位置によっては、ガイドローラが引戸の下骨間に位置しない場合があり、床面から突出したガイドローラによって人が躓く場合がある他、見栄えがよくないといった問題が生じる。
【０００４】
このため、引戸の下部に振れ止め機構として下車を配設し、該下車が床面に敷設したガイドレール上を走行することによって引戸の振れ止めを行うようにした上吊式引戸装置が提案されている。
【０００５】
ところで、この上吊式引戸装置３０は、図５〜６に示すように、壁面の開放部（出入口部）に取り付ける上枠２ａ、下枠２ｃ及び左右の両竪枠２ｂ、２ｂからなる引戸枠部材２と、上枠２ａに取り付けた複数の上吊用レール３と、上吊用レール３に戸車５を介して取り付けた引戸４と、引戸４の下部に配設した振れ止め機構４０から構成されている。
【０００６】
そして、床面Ｆにはガイドレール９が敷設され、引戸４の下部に配設した振れ止め機構４０の振れ止め４２に回動自在に配設された下車４１が、ガイドレール９の凸部９０上に載置されるとともに、前記振れ止め４２の突出部分が、ガイドレール９の凸部９０を跨ぐように構成され、引戸４の振れを防止するようにしている（例えば、特許文献２参照）。
【０００７】
【特許文献１】特開平４−２９７６８７号公報
【特許文献２】特開２００５−２９９０７７号公報
【発明の開示】
【発明が解決しようとする課題】
【０００８】
ところで、この上吊式引戸装置３０は、スプリング等からなる付勢手段４３によって、下車４１及び振れ止め４２を下方に付勢する構造のために、下車４１と振れ止め４２との剛性を高める必要がある。また、その構造上、付勢手段４３と下車４１とが複雑な構造となり、特に下車４１としては、付勢手段４３に対して一体の専用部品を用いる必要があり、例えば、用途によって下車４１等を自由に選択することができない場合があった。
また、上吊式引戸装置３０全体のコストが嵩むという問題があった。
【０００９】
本発明は、上記従来の上吊式引戸装置の有する問題点に鑑み、開口幅の広い間仕切り部分に使用する上吊式引戸装置であっても、汎用品の下車を利用した振れ止めで、剛性が高く、安定した引戸の振れ止めを行うことができる上吊式引戸装置を提供することを目的とする。
【課題を解決するための手段】
【００１０】
上記目的を達成するため、本発明の上吊式引戸装置は、上枠に取り付けた上吊用レールに、上部に戸車を配設した引戸を取り付けるとともに、前記引戸の下部に配設した下車が、床面に敷設したガイドレール上を走行することによって引戸の振れ止めを行うようにした上吊式引戸装置において、引戸の下骨内に該下骨の長さと略同一長さのフレームを付勢手段によって下方に付勢して配設し、前記フレームに下車を取り付けたことを特徴とする。
【００１１】
この場合において、前記フレームを、上部を開放した断面コ字状とし、下部を開放した断面コ字状の下骨の両内側面に、前記フレームの両外側面が摺接するようにすることができる。
【００１２】
さらに、これらの場合において、前記フレームに、複数の下車を配設することができる。
【発明の効果】
【００１３】
本発明の上吊式引戸装置によれば、引戸の下骨内に該下骨の長さと略同一長さのフレームを付勢手段によって下方に付勢して配設し、前記フレームに下車を取り付けるから、付勢手段が直接下車を付勢することがなく、付勢手段及び下車は単純な構造で済み、特に、下車は一般的な市販品である汎用部品を使用することができ、装置全体のコストを抑えることができる。
また、下側を開口した断面コ字状の下骨内にフレームを取り付けるから、下骨がボックス状になり、引戸の下部における強度、剛性が向上した上吊式引戸装置を提供することができる。
【００１４】
また、フレームを、上部を開放した断面コ字状とし、下部を開放した断面コ字状の下骨の両内側面に、前記フレームの両外側面が摺接するようにしたときは、下骨とフレームの剛性は更に向上し、下車を取り付けたフレームが下骨内で安定し、引戸の走行直進性を向上させることもができる。
【００１５】
さらに、フレームに、複数の下車を配設するときは、複数の下車のそれぞれのがたつきが抑制され、直進安定性が向上する。
【発明を実施するための最良の形態】
【００１６】
以下、本発明の上吊式引戸装置の実施の形態を、図面に基づいて説明する。なお、従来装置と同様の構造については同一の符号、一連の符号を付し説明を省略する。
図１〜図４に、本発明の上吊式引戸装置の１実施例を示す。
【００１７】
この上吊式引戸装置１は、従来例と同様、壁面の開放部（出入口部）に取り付ける上枠２ａ、下枠２ｃ及び左右の両竪枠２ｂ、２ｂからなる引戸枠部材２と、上枠２ａに取り付けた複数の上吊用レール３と、上吊用レール３に上部に戸車５を配設した引戸４を取り付ける。
そして、本発明の上吊式引戸装置１では、引戸４の下骨４ａ内に該下骨４ａの長さと略同一長さのフレーム８を付勢手段７によって下方に付勢して配設し、前記フレーム８に下車６取り付けて構成し、該下車６が床面Ｆに敷設したガイドレール９上を走行することによって引戸４の振れ止めを行うようにしている。
【００１８】
フレーム８は、上部を開放した断面コ字状とし、その長さＬ１を下骨４ａの長さＬ２と略同一又は若干小さい長さとし、下骨４ａとフレーム８とによってボックス状を形成し、引戸４の剛性が向上するように構成する。
また、フレーム８は、両外側面の幅Ｄ１を、下部を開放した断面コ字状の下骨４ａの両内側面の幅Ｄ２より若干小さい幅とし、下骨４ａの両内側面に、フレーム８の両外側面が摺接するようにすることが好ましい。
【００１９】
そして、フレーム８は、下骨４ａに付勢手段７を介して配設することによって、フレーム８に取り付けた下車６を床面Ｆに向かって付勢するようにしている。
【００２０】
付勢手段７は、その構成を特に限定されるものではないが、本実施例においては、図２〜図３に示すように、ガイド軸７０と、巻バネ等からなる弾性部材７１と、下骨４ａと連結するための固定板７２と、フレーム８に取り付けてフレーム８と共に移動する移動板７３とからなり、ガイド軸７０の軸部７０ａに巻バネ等からなる弾性部材７１に挿入し、一端を固定板７２にカシメ等によって固定するとともに、移動板７３に対しては、移動板７３に開口した穴７３ａにガイド軸７０の軸部７０ａを挿入し、溝部７０ｂにフレーム８の外側からストップリングＲ等を取り付け、フレーム８がガイド軸７０から抜け落ちないようにしている。
【００２１】
固定版７２、移動版７３、フレーム８等、互いに摺接する部材には、スチールに樹脂を含浸させた材料等の高潤滑性材料を使用することが好ましい。
【００２２】
このように付勢手段７を構成することによって、付勢手段７をユニット化することができ、組み立ての便宜を図ることができるとともに、保守点検時の交換作業も容易に行うことができる。
【００２３】
また、付勢手段７は、図４に示すように、固定板７２及び移動板７３を用いることなく、ガイド軸７０の軸部７０ａの一端を大径部７０ｃとし、フレーム８に開口した穴８ａから挿入する際に該軸部７０ａに巻バネ等からなる弾性部材７１を挿入するとともに、下骨４ａに軸部７０ａに刻設したネジ部分にダブルナットを用いて直接固定するようにしても構わない。
【００２４】
また、軸部７０ａのネジ部をウォームネジとして固定する場合で、側面側から調整可能に固定する場合には、弾性部材７１に予め圧力を付与しておくことで、取付施工時のがたつきを抑制することができる。
【００２５】
上記構成において、下車６を配設したフレームを下骨４ａに取り付ける際、引戸４の下面より下車６が突出するように取り付けるものであるが、下車６の引戸４の下面からの突出量Ａは、引戸４が上吊用レール３に取り付けられたときに引戸４の下面から床面Ｆまでの距離Ｂよりも若干大きくなる寸法とし、下車６がガイドレール９上に載置されたときに付勢手段７によって、下方に付勢されるように構成する。
【００２６】
通常、この突出量Ａの調整は、上吊用レール３に取り付ける戸車５と引戸４の間で調整するものであるが、付勢手段７のガイド軸７０の長さを調整可能に構成したり、固定板７２と下骨４ａとの取り付け間にスペーサーを配設することによって調整することもできる。
【００２７】
そして、上吊用レール３に戸車５を介して引戸４を取り付け、下車６がガイドレール９のレール部材９ｂに付勢されている状態で上吊式引戸装置１の施工は完成する。
これにより、引戸４の走行は、上部を上吊用レール３に載置された戸車５で、下部をガイドレール９のレール部材９ｂに載置された下車６によって規制され、開閉の際に引戸４が、走行方向に対して直角方向に振れることはない。
【００２８】
以上、本発明の上吊式引戸装置について、実施例に基づいて説明したが、本発明は上記実施例に記載した構成に限定されるものではなく、その趣旨を逸脱しない範囲において適宜その構成を変更することができるものである。
【産業上の利用可能性】
【００２９】
本発明の上吊式引戸装置は、汎用品の下車を利用した振れ止めで、剛性が高く、安定した引戸の振れ止めを行うことができるという特性を有していることから、開口幅の広い間仕切り部分に使用する上吊式引戸装置に好適に用いることができる
【図面の簡単な説明】
【００３０】
【図１】本発明の上吊式引戸装置の一実施例を示す全体正面図である。
【図２】図１のＸ−Ｘ断面の一部切り欠きの側面図である。
【図３】下車、付勢手段、フレームを示す要部拡大図で、（ａ）はガイドレール取り付け前を、（ｂ）はガイドレール取り付け後の状態を示す。
【図４】付勢手段の別の実施例を示す要部拡大図である。
【図５】従来の上吊式引戸装置の全体正面図である。
【図６】図５のＹ−Ｙ断面の一部切り欠きの側面図である。
【符号の説明】
【００３１】
１    上吊式引戸装置
２    引戸枠部材
２ａ  上枠
３    上吊用レール
４    引戸
４ａ  下骨
５    戸車
６    下車
７    付勢手段
８    フレーム
９    ガイドレール
【図１】
2009062790.tif 000003
【図２】
2009062790.tif 000004
【図３】
2009062790.tif 000005
【図４】
2009062790.tif 000006
【図５】
2009062790.tif 000007
【図６】
2009062790.tif 000008